(57)【特許請求の範囲】
【請求項１】
基地局において、
複数の階層を具備する多入力多出力（ＭＩＭＯ）アップリンクサブフレームを加入者端末から受信するための受信経路回路を含み、
ここで、肯定／否定（ＡＣＫ／ＮＡＣＫ）情報とランク指示（ｒａｎｋ  ｉｎｆｏｒｍａｔｉｏｎ：ＲＩ）情報はすべてのコードワードの伝送のために使用されたすべての階層で多重化され、
チャネル品質情報（ｃｈａｎｎｅｌ  ｑｕａｌｉｔｙ  ｉｎｆｏｒｍａｔｉｏｎ：ＣＱＩ）は１つのコードワードの伝送のために使用された階層で多重化される基地局。
【請求項２】
第１コードワードの伝送のための第１変調及び符号化方式（ＭＣＳ）値と第２コードワードの伝送のための第２ＭＣＳ値を指示するアップリンク許可を前記加入者端末に送信するための送信経路回路をさらに含み、
ここで、前記ＭＩＭＯアップリンクサブフレームは前記第１コードワードの伝送のために使用された第１階層のサブセットと前記第２コードワードの伝送のために使用された第２階層のサブセットを具備し、
前記ＡＣＫ／ＮＡＣＫ情報と前記ＲＩ情報は前記第１階層のサブセット及び前記第２階層のサブセットにマッピングされ、
前記ＣＱＩは前記第１階層のサブセット、あるいは、前記第２階層のサブセットにマッピングされる請求項１に記載の基地局。
【請求項３】
前記第１ＭＣＳ値が前記第２ＭＣＳ値と互いに異なる場合、前記ＣＱＩはより大きいＭＣＳ値を有する前記階層のサブセットにマッピングされる請求項２に記載の基地局。
【請求項４】
前記第１ＭＣＳ値が前記第２ＭＣＳ値と同じ場合、前記ＣＱＩは前記第１コードワードの伝送のために使用された前記第１階層のサブセットにマッピングされる請求項２に記載の基地局。
【請求項５】
前記第１コードワードの伝送のために使用された前記第１階層のサブセットは階層０を含んで構成される請求項４に記載の基地局。
【請求項６】
前記第１コードワードの伝送のために使用された前記第１階層のサブセットは階層０及び１を含んで構成される請求項４に記載の基地局。
【請求項７】
基地局を動作させるための方法において、
複数の階層を具備する多入力多出力（ＭＩＭＯ）アップリンクサブフレームを加入者端末から受信するための過程を含み、
ここで、肯定／否定（ＡＣＫ／ＮＡＣＫ）情報とランク指示（ＲＩ）情報はすべてのコードワードの伝送のために使用されたすべての階層で多重化され、
チャネル品質情報（ＣＱＩ）は１つのコードワードの伝送のために使用された階層で多重化される方法。
【請求項８】
第１コードワードの伝送のための第１変調及び符号化方式（ＭＣＳ）値と第２コードワードの伝送のための第２ＭＣＳ値を指示するアップリンク許可を前記加入者端末に送信する過程をさらに含み、
ここで、前記ＭＩＭＯアップリンクサブフレームは前記第１コードワードの伝送のために使用された第１階層のサブセットと前記第２コードワードの伝送のために使用された第２階層のサブセットを具備し、
前記ＡＣＫ／ＮＡＣＫ情報と前記ＲＩ情報は前記第１階層のサブセット及び前記第２階層のサブセットにマッピングされ、
前記ＣＱＩは前記第１階層のサブセット、あるいは、前記第２階層のサブセットにマッピングされる請求項７に記載の方法。
【請求項９】
請求項１乃至６のうち一項に記載の前記基地局を動作させる請求項８に記載の方法。
【請求項１０】
加入者端末において、
複数の階層を具備する多入力多出力アップリンクサブフレームを生成し、
肯定／否定情報（ＡＣＫ／ＮＡＣＫ）情報とランク指示（ＲＩ）情報をすべてのコードワードの伝送のために使用されたすべての階層で多重化し、
チャネル品質情報（ＣＱＩ）を１つのコードワードの伝送のために使用された階層で多重化し、
前記ＭＩＭＯアップリンクサブフレームを基地局に送信するための送信経路回路を含む加入者端末。
【請求項１１】
第１コードワードの伝送のための第１変調及び符号化方式（ＭＣＳ）値と第２コードワードの伝送のための第２ＭＣＳ値を指示するアップリンク許可を前記基地局から受信するための受信経路回路をさらに含み、
ここで、前記ＭＩＭＯアップリンクサブフレームは前記第１コードワードの伝送のために使用された第１階層のサブセットと前記第２コードワードの伝送のために使用された第２階層のサブセットを具備し、
前記ＡＣＫ／ＮＡＣＫ情報と前記ＲＩ情報は前記第１階層のサブセット及び前記第２階層のサブセットにマッピングされ、
前記ＣＱＩは前記第１階層のサブセット、あるいは、前記第２階層のサブセットにマッピングされる請求項１０に記載の加入者端末。
【請求項１２】
前記第１ＭＣＳ値が前記第２ＭＣＳ値と互いに異なる場合、前記受信経路回路は前記ＣＱＩをより大きいＭＣＳ値を有する前記階層のサブセットにマッピングする請求項１１に記載の加入者端末。
【請求項１３】
前記第１ＭＣＳ値が前記第２ＭＣＳ値と同じ場合、前記受信経路回路は前記ＣＱＩを前記第１コードワードの伝送のために使用された前記１階層のサブセットにマッピングする請求項１１に記載の加入者端末。
【請求項１４】
前記第１コードワードの伝送のために使用された前記第１階層のサブセットは階層０を含んで構成される請求項１３に記載の加入者端末。
【請求項１５】
前記第１コードワードの伝送のために使用された前記第１階層のサブセットは階層０及び１を含んで構成される請求項１３に記載の加入者端末。
【請求項１６】
加入者端末を動作させるための方法において、
複数の階層を具備する多入力多出力アップリンクサブフレームを生成する過程；
肯定／否定（ＡＣＫ／ＮＡＣＫ）情報とランク指示（ＲＩ）情報をすべてのコードワードの伝送のために使用されたすべての階層で多重化する過程；
チャネル品質情報（ＣＱＩ）を１つのコードワードの伝送のために使用された階層で多重化する過程；及び
前記ＭＩＭＯアップリンクサブフレームを基地局に送信する過程を含む方法。
【請求項１７】
第１コードワードの伝送のための第１変調及び符号化方式（ＭＣＳ）値と第２コードワードの伝送のための第２ＭＣＳ値を指示するアップリンク許可を前記基地局から受信する過程をさらに含み、
ここで、前記ＭＩＭＯアップリンクサブフレームは前記第１コードワードの伝送のために使用された第１階層のサブセットと前記第２コードワードの伝送のために使用された第２階層のサブセットを具備し、
前記ＡＣＫ／ＮＡＣＫ情報と前記ＲＩ情報は前記第１階層のサブセット及び前記第２階層のサブセットにマッピングされ、
前記ＣＱＩは前記第１階層のサブセット、あるいは、前記第２階層のサブセットにマッピングされる請求項１６に記載の方法。
【請求項１８】
請求項１０乃至１５のうち一項に記載の前記加入者端末を動作させる請求項１７に記載の方法。
【発明の詳細な説明】
【技術分野】
【０００１】
本発明は、一般に、無線通信に関し、さらに具体的には、１つ又はそれ以上の活性化された伝送ブロックを指示するための方法及びシステムに関する。
【背景技術】
【０００２】
第３世代パートナーシッププロジェクトロングタームエボリューション（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ：３ＧＰＰ  ＬＴＥ）で、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）はダウンリンク（ｄｏｗｎｌｉｎｋ：ＤＬ）伝送方式として採用された。
【発明の概要】
【発明が解決しようとする課題】
【０００３】
したがって、本発明の実施形態は、アップリンク制御情報をマッピングするための方法及びシステムを提供することを目的とする。
【課題を解決するための手段】
【０００４】
基地局が提供される。基地局は第１コードワードの伝送のための第１変調及び符号化方式（ＭＣＳ）値と第２コードワードの伝送のための第２ＭＣＳ値を指示するアップリンク許可を加入者端末に送信するための送信経路回路を含む。また、前記基地局は前記第１コードワードの伝送のために使用された第１階層のサブセットと前記第２コードワードの伝送のために使用された第２階層のサブセットを具備する多入力多出力（ＭＩＭＯ）アップリンクサブフレームを前記加入者端末から受信するための受信経路回路を含む。肯定／否定（ＡＣＫ／ＮＡＣＫ）情報とランク指示（ＲＩ）情報は前記第１階層のサブセット及び前記第２階層のサブセットにマッピングされ、チャネル品質情報（ＣＱＩ）は前記第１階層のサブセット又は前記第２階層のサブセットのみにマッピングされる。
【０００５】
基地局を動作させるための方法が提供される。前記方法は第１コードワードの伝送のための第１変調及び符号化方式値と第２コードワードの伝送のための第２ＭＣＳ値を指示するアップリンク許可を加入者端末に送信する過程を含む。また、前記方法は前記第１コードワードの伝送のために使用された第１階層のサブセットと前記第２コードワードの伝送のために使用された第２階層のサブセットを具備する多入力多出力アップリンクサブフレームを前記加入者端末から受信する過程を含む。肯定／否定情報とランク指示情報は前記第１階層のサブセット及び前記第２階層のサブセットにマッピングされ、チャネル品質情報は前記第１階層のサブセット又は前記第２階層のサブセットのみにマッピングされる。
【０００６】
加入者端末が提供される。前記加入者端末は第１コードワードの伝送のための第１変調及び符号化方式値と第２コードワードの伝送のための第２ＭＣＳ値を指示するアップリンク許可を基地局から受信するための受信経路回路を含む。また、前記加入者端末は前記第１コードワードの伝送のために使用された第１階層のサブセットと前記第２コードワードの伝送のために使用された第２階層のサブセットを具備する多入力多出力アップリンクサブフレームを生成する送信経路回路を含む。前記送信経路も肯定／否定情報とランク指示情報を前記第１階層のサブセット及び前記第２階層のサブセットにマッピングし、チャネル品質情報を前記第１階層のサブセット又は前記第２階層のサブセットのみにマッピングし、前記ＭＩＭＯアップリンクサブフレームを前記基地局に送信する。
【０００７】
加入者端末を動作させるための方法が提供される。前記方法は第１コードワードの伝送のための第１変調及び符号化方式値と第２コードワードの伝送のための第２ＭＣＳ値を指示するアップリンク許可を基地局から受信する過程を含む。また、前記方法は前記第１コードワードの伝送のために使用された第１階層のサブセットと前記第２コードワードの伝送のために使用された第２階層のサブセットを具備する多入力多出力アップリンクサブフレームを生成する過程と、肯定／否定情報とランク指示情報を前記第１階層のサブセット及び前記第２階層のサブセットにマッピングする過程と、チャネル品質情報を前記第１階層のサブセット又は前記第２階層のサブセットのみにマッピングする過程と、前記ＭＩＭＯアップリンクサブフレームを前記基地局に送信する過程と、を含む。
【発明の効果】
【０００８】
本発明の実施形態によれば、多入力多出力方式がアップリンク通信で使われる時、データと、チャネル品質情報、ランク情報、ＡＣＫ／ＮＡＣＫ情報のような制御情報と、を同時に送信するためのシステム及び方法を提供できる。
【０００９】
本発明及びその効果に対するより完璧な理解のために、添付される図面を参照して下記の説明が行われる。ここで同じ符号は同じ部分を示す。
【図面の簡単な説明】
【００１０】
【図１】本発明の原理に応じてアップリンクでメッセージを送信する好ましい無線ネットワークを示す図である。
【図２】本発明の一実施形態による直交周波数分割多重接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）送信機のハイレベルダイヤグラムである。
【図３】本発明の一実施形態によるＯＦＤＭＡ受信機のハイレベルダイヤグラムである。
【図４】本発明の実施形態による複数の移動端末と通信する基地局のダイヤグラムである。
【図５】本発明の実施形態による空間分割多重接続（ｓｐａｔｉａｌ  ｄｉｖｉｓｉｏｎ  ｍｕｌｔｉｐｌｅ  ａｃｃｅｓｓ：ＳＤＭＡ）方式を示す図である。
【図６】本発明の実施形態による物理アップリンク共有チャネル（ｐｈｙｓｉｃａｌ  ｕｐｌｉｎｋ  ｓｈａｒｅｄ  ｃｈａｎｎｅｌ：ＰＵＳＣＨ）の伝送チェーンを示す図である。
【図７】本発明の実施形態によってアップリンク制御情報を２つのコードワードの複数の階層へのマッピングする様子を示す図である。
【図８】本発明の実施形態による基地局の動作方法を示す図である。
【図９】本発明の実施形態による加入者端末の動作方法を示す図である。
【発明を実施するための形態】
【００１１】
下記の発明を実施するための形態について記載する前に、本特許文献全般にわたって用いられた単語（ｗｏｒｄｓ）及び句（ｐｈｒａｓｅｓ）について定義することが効果的であろう。用語「含む（ｉｎｃｌｕｄｅ）」及び「含む（ｃｏｍｐｒｉｓｅ）」だけでなくそれらの派生語は制限なく含む（ｉｎｃｌｕｓｉｏｎ  ｗｉｔｈｏｕｔ  ｌｉｍｉｔａｔｉｏｎ）ことを意味する。用語「又は（ｏｒ）」は包括的な意味であって、「及び／又は」を意味する。「〜と関連付けられた（ａｓｓｏｃｉａｔｅｄ  ｗｉｔｈ）」及び「それとともに関連付けられた（ａｓｓｏｃｉａｔｅｄ  ｔｈｅｒｅｗｉｔｈ）」だけでなくそれらの派生語は「含む（ｉｎｃｌｕｄｅ）」、「何かの内に含まれる（ｂｅ  ｉｎｃｌｕｄｅｄ  ｗｉｔｈｉｎ）」、「何かと互いに接続する（ｉｎｔｅｒｃｏｎｎｅｃｔ  ｗｉｔｈ）」、「含む（ｃｏｎｔａｉｎ）」 、「何かの内部に含まれる（ｂｅ  ｃｏｎｔａｉｎｅｄ  ｗｉｔｈｉｎ）」、「何かに、あるいは何かと接続される（ｃｏｎｎｅｃｔ  ｔｏ  ｏｒ  ｗｉｔｈ）、「何かに、あるいは何かと結合される（ｃｏｕｐｌｅ  ｔｏ  ｏｒ  ｗｉｔｈ）」、「何かと通信可能である（ｂｅ  ｃｏｍｍｕｎｉｃａｂｌｅ  ｗｉｔｈ）」、「何かと協力する（ｃｏｏｐｅｒａｔｅ  ｗｉｔｈ）」、「挟まれる（ｉｎｔｅｒｌｅａｖｅ）」、「〜と並置する（ｊｕｘｔａｐｏｓｅ）」、「何かに隣接する（ｂｅ  ｐｒｏｘｉｍａｔｅ  ｔｏ）」、「何かに、あるいは何かと縛られる（ｂｅ  ｂｏｕｎｄ  ｔｏ  ｏｒ  ｗｉｔｈ）」、「持つ（ｈａｖｅ）」、「ある特性を持つ（ｈａｖｅ  ａｐｒｏｐｅｒｔｙ  ｏｆ）、あるいはそれと類似したものを意味する場合がある。そして、用語「制御機（ｃｏｎｔｒｏｌｌｅｒ）」は少なくとも１つの動作を制御するある装置（ｄｅｖｉｃｅ）、システム（ｓｙｓｔｅｍ）またはその一部（ｓｙｓｔｅｍ  ｏｒ  ｐａｒｔ  ｔｈｅｒｅｏｆ）を意味し、そのような装置は、ハードウェア、ファームウェアまたはソフトウェア（ｈａｒｄｗａｒｅ、ｆｉｒｍｗａｒｅ  ｏｒ  ｓｏｆｔｗａｒｅ）に、またはそれらの少なくとも２つの組み合わせに具現され得る。ある特定の制御器に関連した機能は、局所的であるか、又は遠隔であるか（ｌｏｃａｌｌｙ  ｏｒ  ｒｅｍｏｔｅｌｙ）によって集中化または分散化され得る（ｂｅ  ｃｅｎｔｒａｌｉｚｅｄ  ｏｒ
ｄｉｓｔｒｉｂｕｔｅｄ）。特定の単語及び句に対する定義は本明細書全般にわたって提供され、当業者であれば、ほとんどの場合ではないが、多くの場合、そのような定義がそのように定義された単語及び句に対する従来の使用だけでなく、将来にも適用されるということを理解すべきである。
【００１２】
本特許文書で本発明の原理を記述するために用いられる、下記の図１乃至図９と様々な実施形態は実際の例を示すことのみを意図しており、発明の範囲を制限するものとして解釈されてはならない。当該分野における熟練者は本発明の原理が適切に配列された無線通信システムで具現され得るという事実を理解するはずである。
【００１３】
以下の説明を参照する時、ＬＴＥ用語である「ｎｏｄｅ  Ｂ」、「ｅｎｈａｎｃｅｄ  ｎｏｄｅ  Ｂ」、及び「ｅＮｏｄｅ  Ｂ」は以下で用いられた「基地局（ｂａｓｅ  ｓｔａｔｉｏｎ）」に対する異なる用語であるということに留意すべきである。また、前記ＬＴＥ用語「ユーザ装置（ｕｓｅｒ  ｅｑｕｉｐｍｅｎｔ）」又は「ＵＥ」は、以下で用いられた「加入者端末（ｓｕｂｓｃｒｉｂｅｒ  ｓｔａｔｉｏｎ）」に対する異なる用語である。
【００１４】
図１は、無線ネットワーク１００の好ましい例を示しており、前記ネットワークは本発明の原理に応じてメッセージを送信する。図示の実施形態で、無線ネットワーク１００は基地局（ｂａｓｅ  ｓｔａｔｉｏｎ：ＢＳ）１０１、基地局ＢＳ１０２、基地局ＢＳ１０３、及び他の類似した基地局（図示せず）を含む。
【００１５】
基地局１０１はインターネット（Ｉｎｔｅｒｎｅｔ）１０３又は類似のＩＰベースのネットワーク（ＩＰ−ｂａｓｅｄ  ｎｅｔｗｏｒｋ）（図示せず）と通信する。
【００１６】
基地局１０２は基地局１０２のカバレッジ領域１２０内にある複数の第１加入者端末にインターネット１３０への無線広帯域アクセスを提供する。複数の第１加入者端末は小規模ビジネス（ｓｍａｌｌ  ｂｕｓｉｎｅｓｓ：ＳＢ）に位置する場合がある加入者端末（ｓｕｂｓｃｒｉｂｅｒ  ｓｔａｔｉｏｎ）１１１を含み、会社（ｅｎｔｅｒｐｒｉｓｅ：Ｅ）に位置する場合がある加入者端末１１２を含み、ワイファイ（ＷｉＦｉ）ホットスポット（ｈｏｔｓｐｏｔ：ＨＳ）に位置する場合がある加入者端末１１３を含み、第１居住地（ｒｅｓｉｄｅｎｃｅ：Ｒ）に位置する場合がある加入者端末１１４を含み、第２居住地（ｒｅｓｉｄｅｎｃｅ：Ｒ）に位置する場合がある加入者端末１１５を含み、セルラーフォン（ｃｅｌｌｐｈｏｎｅ）、無線ラップトップ（ｌａｐｔｏｐ）、無線ＰＤＡ又は他の類似のものを含む移動装置（ｍｏｂｉｌｅ  ｄｅｖｉｃｅ：Ｍ）である場合もある加入者端末１１６を含む。
【００１７】
基地局１０３は基地局１０３のカバレッジ領域１２５内にある複数の第２加入者端末にインターネット１３０への無線広帯域アクセスを提供する。複数の第２加入者端末は加入者端末１１５及び加入者端末１１６を含む。好ましい実施形態で、基地局１０１〜１０３はＯＦＤＭ又はＯＦＤＭＡ技法を使用して互いに通信することもでき、加入者端末１１１〜１１６と通信することもできる。
【００１８】
図１では６個の加入者端末のみを示しているが、無線ネットワーク１００は追加的な加入者端末に無線広帯域アクセスを提供することもできることを理解すべきである。加入者端末１１５及び加入者端末１１６はカバレッジ領域１２０及びカバレッジ領域１２５の境界部分に位置する。当該分野における熟練者に周知のように、加入者端末１１５及び加入者端末１１６は互いに基地局１０２及び基地局１０３と通信し、ハンドオフモードで動作するものとして言及され得る。
【００１９】
加入者端末１１１〜１１６はインターネット１３０を介して音声、データ、ビデオ、ビデオ会議、及び／又は他の広帯域サービスにアクセスすることもできる。好ましい実施形態で、１つ又はそれ以上の加入者端末１１１〜１１６はＷｉＦｉ  ＷＬＡＮのアクセスポイント（ａｃｃｅｓｓ  ｐｏｉｎｔ：ＡＰ）に関連付けられ得る。加入者端末１１６は無線でイネーブルされるラップトップコンピュータ、個人情報端末（ｐｅｒｓｏｎａｌ  ｄａｔａ  ａｓｓｉｓｔａｎｔ）、ノートブック、携帯装置（ｈａｎｄｈｅｌｄ  ｄｅｖｉｃｅ）、又は無線でイネーブルされる他の装置を含む複数の移動端末のうち１つであることもできる。例えば、加入者端末１１４及び１１５は無線にイネーブルされる個人用コンピュータ（ＰＣ）、ラップトップコンピュータ、ゲートウェイ又は他の装置である場合もある。
【００２０】
図２は、直交周波数分割多重接続の送信経路２００のハイレベルダイヤグラムである。図３は、直交周波数分割多重接続の受信経路３００のハイレベルダイヤグラムである。図示及び説明の便宜のために、図２及び図３で、ＯＦＤＭＡ送信経路２００は基地局ＢＳ１０２で具現され、ＯＦＤＭＡ受信経路３００は加入者端末ＳＳ１１６で具現される。しかし、ＯＦＤＭＡ受信経路３００がＢＳ１０２で具現されることもでき、ＯＦＤＭＡ送信経路２００がＳＳ１１６でも具現されることができるということを、当該分野の熟練者は理解するはずである。
【００２１】
ＢＳ１０２の送信経路２００はチャネル符号化及び変調ブロック２０５、直列／並列（ｓｅｒｉａｌ−ｔｏ−ｐａｒａｌｌｅｌ：Ｓ−ｔｏ−Ｐ）ブロック２１０、サイズＮの高速フーリエ逆変換（Ｉｎｖｅｒｓｅ  Ｆａｓｔ  Ｆｏｕｒｉｅｒ  Ｔｒａｎｓｆｏｒｍ：ＩＦＦＴ）ブロック２１５、並列／直列（ｐａｒａｌｌｅｌ−ｔｏ−ｓｅｒｉａｌ：Ｐ−ｔｏ−Ｓ）ブロック２２０、サイクリックプレフィックス （ｃｙｃｌｉｃ  ｐｒｅｆｉｘ）追加ブロック２２５、アップコンバータ（ｕｐ−ｃｏｎｖｅｒｔｅｒ：ＵＣ）２３０、基準信号マルチプレクサ（ｒｅｆｅｒｅｎｃｅ  ｓｉｇｎａｌ  ｍｕｌｔｉｐｌｅｘｅｒ）２９０、及び基準信号アロケータ（ｒｅｆｅｒｅｎｃｅ  ｓｉｇｎａｌ  ａｌｌｏｃａｔｏｒ）２９５を含む。
【００２２】
ＳＳ１１６の受信経路３００はダウンコンバータ（ｄｏｗｎ−ｃｏｎｖｅｒｔｅｒ：ＤＣ）２５５、サイクリックプレフィックス除去ブロック２６０、直列／並列（ｓｅｒｉａｌ−ｔｏ−ｐａｒａｌｌｅｌ：Ｓ−ｔｏ−Ｐ）ブロック２６５、サイズＮの高速フーリエ変換（Ｆａｓｔ  Ｆｏｕｒｉｅｒ  Ｔｒａｎｓｆｏｒｍ：ＦＦＴ）ブロック２７０、並列／直列（ｐａｒａｌｌｅｌ−ｔｏ−ｓｅｒｉａｌ：Ｐ−ｔｏ−Ｓ）ブロック２７５、チャネル復号化及び復調ブロック２８０を含む。
【００２３】
図面２及び３で構成要素の少なくともいくつかはソフトウェアに具現されることもでき、他の構成要素は構成可能なハードウェア（ｃｏｎｆｉｇｕｒａｂｌｅ  ｈａｒｄｗａｒｅ）又はソフトウェアと構成可能なハードウェアの混合によって具現されることもできる。特に、本発明の文書で記述されるＦＦＴブロック及びＩＦＦＴブロックは構成可能なソフトウェアアルゴリズムとして具現されることもでき、ここでサイズＮの値は具現によって変形され得る。
【００２４】
さらに、本発明は高速フーリエ変換及び高速フーリエ逆変換を具現する実施形態に関するものであるが、これは実際の例を示すことのみを意図しており、本発明の範囲を制限するものとして解釈されてはならない。本発明の一般的な実施形態で、高速フーリエ変換機能及び高速フーリエ逆変換機能はそれぞれ離散フーリエ変換（Ｄｉｓｃｒｅｔｅ  Ｆｏｕｒｉｅｒ  Ｔｒａｎｓｆｏｒｍ：ＤＦＴ）機能及び離散フーリエ逆変換（Ｉｎｖｅｒｓｅ  Ｄｉｓｃｒｅｔｅ  Ｆｏｕｒｉｅｒ  Ｔｒａｎｓｆｏｒｍ：ＩＤＦＴ）によって容易に代替可能であるということが認識される。ＤＦＴ及びＩＤＦＴ機能の場合、Ｎ個の変数の値は任意の整数（すなわち、１、２、３、４など）である場合がある一方で、ＦＦＴ及びＩＦＦＴ機能の場合、Ｎ個の変数の値は２の２乗（ｐｏｗｅｒ  ｏｆ  ｔｗｏ）である任意の整数（すなわち、１、２、４、８、１６など）である場合もあることが認識されるであろう。
【００２５】
基地局１０２で、チャネル符号化及び変調ブロック２０５は情報ビットのセットを受信し、符号化（例えば、ターボ符号化）を適用し、情報ビットを（例えば、ＱＰＳＫ、ＱＡＭ）変調して周波数ドメイン変調シンボルのシーケンスを生成する。直列／並列ブロック２１０は直列の変調されたシンボルを並列データに変換（すなわち、逆多重化）してＮ並列シンボルストリームを生成するが、ここでＮはＢＳ１０２及びＳＳ１１６で使用されたＩＦＦＴ／ＦＦＴサイズである。すると、サイズＮのＩＦＦＴブロック２１５はＮ並列シンボルストリームに対してＩＦＦＴ動作を行ってタイムドメイン上の出力信号を生成する。並列／直列ブロック２２０はサイズＮのＩＦＦＴブロック２１５からのタイムドメイン上の並列出力シンボルを変換（すなわち多重化）して直列のタイムドメイン上信号を生成する。すると、サイクリックプレフィックス追加ブロック２２５は前記タイムドメイン上の信号にサイクリックプレフィックスを挿入する。最後に、アップコンバータ２３０はサイクリックプレフィックス追加ブロック２２５の出力を無線チャネルを介して伝送するためのＲＦ周波数に変調（すなわちアップコンバート）する。前記信号はＲＦ周波数への変換前に基底帯域でもフィルタリングされ得る。いくつかの実施形態で、基準信号マルチプレクサ２９０は符号分割多重化（ｃｏｄｅ  ｄｉｖｉｓｉｏｎ  ｍｕｌｔｉｐｌｅｘｉｎｇ：ＣＤＭ）又は時間／周波数分割多重化（ｔｉｍｅ／ｆｒｅｑｕｅｎｃｙ  ｄｉｖｉｓｉｏｎ  ｍｕｌｔｉｐｌｅｘｉｎｇ：ＴＦＤＭ）を用いて前記基準信号を多重化するように動作され得る。基準信号アロケータ２９５は本出願で開示された方法及びシステムに応じてＯＦＤＭ信号から基準信号をダイナミックに割り当てるように動作され得る。
【００２６】
送信されたＲＦ信号は無線チャネルを通過した後、ＳＳ１１６に到達し、ＢＳ１０２での逆動作が行われる。ダウンコンバータ２５５は受信された信号を基底帯域周波数にダウンコンバートし、サイクリックプレフィックス除去ブロック２６０はサイクリックプレフィックスを除去してタイムドメイン上の直列基底帯域信号を生成する。直列／並列ブロック２６５は前記タイムドメイン上の基底帯域信号をタイムドメイン上の並列信号に変換する。すると、サイズＮのＦＦＴブロック２７０はＦＦＴアルゴリズムを行って周波数ドメイン上のＮ並列信号を生成する。並列／直列ブロック２７５は前記周波数ドメイン上の並列信号を変調されたデータシンボルのシーケンスに変換する。チャネル復号化及び復調ブロック２８０は前記変調されたシンボルを復調した後、復号化して最初の入力データストリームを復元する。
【００２７】
各基地局１０１〜１０３は加入者端末１１１〜１１６へのダウンリンクでの送信と類似の送信経路を具現することもでき、加入者端末１１１〜１１６からのアップリンクでの受信と類似の受信経路を具現することもできる。同様に、各加入者端末１１１〜１１６は基地局１０１〜１０３へのアップリンクでの送信のための構造に対応する送信経路を具現することもでき、基地局１０１〜１０３からのダウンリンクでの受信のための構造に対応する受信経路を具現することもできる。
【００２８】
ＯＦＤＭシステムで全体帯域幅はサブキャリアと呼ばれる狭帯域周波数ユニットに分かれる。サブキャリアの数は前記システムで使用されたＦＦＴ／ＩＦＦＴサイズＮと同じである。一般に、周波数スペクトルのエッジでのいくつかのサブキャリアはガード（ｇｕａｒｄ）サブキャリアとして留保されるためデータのために使用されたサブキャリアの数はＮより小さい。
【００２９】
リソースブロック（ｒｅｓｏｕｒｃｅ  ｂｌｏｃｋ）の各ダウンリンク（ＤＬ）スロットで送信された信号は
0005838197.tif 000002
サブキャリアと
0005838197.tif 000003
ＯＦＤＭシンボルのリソースグリッド（ｒｅｓｏｕｒｃｅ  ｇｒｉｄ）によって記述される。
0005838197.tif 000004
量（ｑｕａｎｔｉｔｙ）はセルに構成されたダウンリンク伝送帯域幅に依存し、
0005838197.tif 000005
を満たすが 、ここで、
0005838197.tif 000006
と
0005838197.tif 000007
はそれぞれ支援される最小ダウンリンク帯域幅及び最大ダウンリンク帯域幅である。いくつかの実施形態で、サブキャリアは変調できる最も小さい要素と見なされる。
【００３０】
マルチアンテナ伝送の場合、アンテナポートあたり定義された１つのリソースグリッドがある。
【００３１】
アンテナポートＰに対するリソースグリッドで各要素はリソース要素（ｒｅｓｏｕｒｃｅ  ｅｌｅｍｅｎｔ：ＲＥ）と呼ばれ、スロットでのインデックス対（ｋ，ｌ）によって一意に区別されるが、ここで、
0005838197.tif 000008
と
0005838197.tif 000009
はそれぞれ周波数ドメイン及びタイムドメインでのインデックスである。アンテナポートＰ上のリソース要素（ｋ，ｌ）は複素値
0005838197.tif 000010
に対応する。混雑の危険がないか又は特定のアンテナポートが明示されていない場合、インデックスＰは省略（ｄｒｏｐ）され得る。
【００３２】
ＬＴＥで、基準信号（ＲＳｓ）は２つの目的に使用される。先ず、ＵＥは ＤＬ  ＲＳを利用して、チャネル品質情報（ｃｈａｎｎｅｌ  ｑｕａｌｉｔｙ  ｉｎｆｏｒｍａｔｉｏｎ：ＣＱＩ）、ランク情報（ｒａｎｋ  ｉｎｆｏｒｍａｔｉｏｎ：ＲＩ）及びプリコーダマトリックス情報（ｐｒｅｃｏｄｅｒ  ｍａｔｒｉｘ  ｉｎｆｏｒｍａｔｉｏｎ：ＰＭＩ）を測定する。次に、各ＵＥはＤＬ  ＲＳを利用して、単独に意図されたＤＬ伝送信号を復調する。追加的に、ＤＬ  ＲＳは３個のカテゴリーに分かれる：セル特定（ｃｅｌｌ−ｓｐｅｃｉｆｉｃ）ＲＳ、シングルの周波数ネットワークを介したマルチメディアブロードキャスト（ｍｕｌｔｉ−ｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ：ＭＢＳＦＮ）ＲＳ、及びＵＥ特定ＲＳ又は専用のＲＳ（ｄｅｄｉｃａｔｅｄ  ＲＳｓ：ＤＲＳｓ）。
【００３３】
セル特定基準信号（又は共通基準信号：ＣＲＳｓ）は非ＭＢＳＦＮ（ｎｏｎ−ＭＢＳＦＮ）伝送を支援するセルでの全てのダウンリンクサブフレームで送信される。もしサブフレームがＭＢＳＦＮの伝送に使用される場合、サブフレームで最初の僅かの（０、１、又は２）ＯＦＤＭシンボルのみがセル特定参照シンボルの伝送に使用される。表記（ｎｏｔａｔｉｏｎ）
0005838197.tif 000011
がアンテナポートＰでの基準信号の伝送に使用されたリソース要素を定義するために使用される。
【００３４】
ＵＥ特定基準信号（又は専用（ｄｅｄｉｃａｔｅｄ）ＲＳ：ＤＲＳ）は物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）上で単一のアンテナポート伝送のために支援されアンテナポート５上で送信される。前記ＵＥ特定基準信号が存在しＰＤＳＣＨ復調のための有効な位相基準であるかについて、前記ＵＥはさらに高い階層によって通知される。ＵＥ特定基準信号は対応するＰＤＳＣＨがマッピングされたリソースブロックのみで送信される。
【００３５】
ＬＴＥシステムでタイムリソースは１０ｍｓｅｃフレームに分割され、各フレームは各１ｍｓｅｃ区間を有する１０サブフレームにさらに分割される。サブフレームは２つの時間スロットに分かれるが、各スロットは０．５ｍｓｅｃの期間を有する（ｓｐａｎ）。サブフレームは周波数ドメインで多重リソースブロック（ｍｕｌｔｉｐｌｅ  ｒｅｓｏｕｒｃｅ  ｂｌｏｃｋｓ：ＲＢｓ）に分割されるが、ここでＲＢは１２個のサブキャリアで構成される。
【００３６】
図４は、本発明の実施形態による複数の移動端末４０２、４０４、４０６及び４０８と通信する基地局４２０のダイヤグラム４００である。
【００３７】
図４に示すように、基地局４２０はマルチアンテナビームの使用によって複数の移動端末と同時に通信するが、各アンテナビームは同じ時間及び同じ周波数でそれによって意図された移動端末に向けて形成される。基地局４２０及び移動端末４０２、４０４、４０６、及び４０８は電波信号（ｒａｄｉｏ  ｗａｖｅ  ｓｉｇｎａｌｓ）の伝送及び受信のためにマルチアンテナを採用する。前記電波信号は直交周波数分割多重信号である場合がある。
【００３８】
この実施形態で、基地局４２０は複数の送信機を介して各移動端末へのビームフォーミングを同時に行う。例えば、基地局４２０はビームフォーミングされた信号４１０を介して移動端末４０２にデータを送信し、ビームフォーミングされた信号４１２を介して移動端末４０４にデータを送信し、ビームフォーミングされた信号４１４を介して移動端末４０６にデータを送信し、ビームフォーミングされた信号４１６を介して移動端末４０８にデータを送信する。本発明のいくつかの実施形態で、基地局４２０は移動端末４０２、４０４、４０６、及び４０８へ同時にビームフォーミングを行うことができる。いくつかの実施形態で、各ビームフォーミングされた信号は同じ時間及び同じ周波数でその意図された移動端末に向けて形成される。明確性の目的のために、基地局から移動端末への通信はダウンリンク通信として言及されることもでき、移動端末から基地局への通信はアップリンク通信として言及されることもできる。
【００３９】
基地局４２０及び移動端末４０２、４０４、４０６、及び４０８は無線信号（ｗｉｒｅｌｅｓｓ  ｓｉｇｎａｌｓ）を送信及び受信するためのマルチアンテナを採用する。前記無線信号が電波信号である場合もあり、前記無線信号は直交周波数分割多重の伝送方式を含み当該分野の熟練者に周知の任意の伝送方式を使用することができるという事実が理解されるであろう。
【００４０】
移動端末４０２、４０４、４０６、及び４０８は無線信号を受信することができるいかなる装置であることもできる。移動端末４０２、４０４、４０６、及び４０８の例はビームフォーミングされた伝送信号を受信することができる個人情報端末（ＰＤＡ）、ラップトップ、移動電話、携帯装置、又はその他の装置を含むが、これに限定されるものではない。
【００４１】
無線通信チャネルの処理容量（ｃａｐａｃｉｔｙ）及び信頼性（ｒｅｌｉａｂｉｌｉｔｙ）を向上させるために基地局とシングルの移動端末で多重送信アンテナ及び多重受信アンテナを使用することはシングルユーザ多入力多出力（Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ：ＳＵ−ＭＩＭＯ）システムとして知られている。ＭＩＭＯシステムはＫ分の処理容量での線形的な増加を示すが、ここで、Ｋは送信アンテナの数Ｍ及び受信アンテナの数Ｎの最小値である（すなわち、Ｋ=ｍｉｎ（Ｍ，Ｎ））。ＭＩＭＯシステムは空間多重化、送信／受信ビームフォーミング、又は送信／受信ダイバーシティの方式で具現され得る。
【００４２】
ＳＵ−ＭＩＭＯの具現として、マルチユーザ（ｍｕｌｔｉ−ｕｓｅｒ）ＭＩＭＯ（ＭＵ−ＭＩＭＯ）は無線通信チャネルの処理容量及び信頼性を向上させるために空間分割多重接続（Ｓｐａｔｉａｌ  Ｄｉｖｉｓｉｏｎ  Ｍｕｌｔｉｐｌｅ  Ａｃｃｅｓｓ：ＤＭＡ）のようなマルチユーザビームフォーミング方式の使用によって多重送信アンテナを有する基地局が多数の移動端末と同時に通信できる通信シナリオである。
【００４３】
図５は、本発明の実施形態によるＳＤＭＡ方式を示す図である。
【００４４】
図５に示すように、基地局４２０は８個の送信アンテナが用意される一方、移動端末４０２、４０４、４０６、及び４０８はそれぞれ２つのアンテナが用意されている。この例で、基地局４２０は８個の送信アンテナを具備する。各送信アンテナはビームフォーミングされた信号４１０、５０２、５０４、４１２、４１４、５０６、４１６、及び５０８のうち１つを送信する。この例で、移動端末４０２はビームフォーミングされた伝送信号４１０及び５０２を受信し、移動端末４０４はビームフォーミングされた伝送信号５０４及び４１２を受信し、移動端末４０６はビームフォーミングされた伝送信号５０６及び４１４を受信し、移動端末４０８はビームフォーミングされた伝送信号５０８及び４１６を受信する。
【００４５】
基地局４２０は８個の送信アンテナビーム（各アンテナビームはデータストリーム中の１つのストリーム）を持つため、ビームフォーミングされたデータの８個ストリームが基地局４２０で形成され得る。この例で、各移動端末は最大２つのストリーム（ビーム）のデータを受信することができる。もし各移動端末４０２、４０４、４０６、及び４０８が同時マルチストリームの代わりにシングルストリーム（ビーム）のデータのみを受信するものに制限される場合、これはマルチユーザビームフォーミング（ｍｕｌｔｉ−ｕｓｅｒ  ｂｅａｍｆｏｒｍｉｎｇ）（すなわち、ＭＵ−ＢＦ）である。
【００４６】
図６は、本発明の実施形態による物理アップリンク共有チャネルの伝送チェーン６００を示す図である。
【００４７】
図６は、Ｎｔ送信アンテナＵＥ上でのＮ階層伝送を示す。図６はＮ離散フーリエ変換プレコーディングユニット６０１−１乃至６０１−Ｎの出力を、高速フーリエ逆変換ユニット６０３−１乃至６０３−Ｎでの連続的なサブキャリアのセットへのマッピングする様子を示す。
【００４８】
ＰＵＳＣＨ伝送チェーン６００の主な構成要素のうち１つはデータ／制御多重化ユニット６０５に具現されたデータ／制御多重化機能であるが、これは３ＧＰＰ  ＴＳ３６．２１２ ｖ ８．５．０，「Ｅ−ＵＴＲＡ，Ｍｕｌｔｉｐｌｅｘｉｎｇ  ａｎｄ  Ｃｈａｎｎｅｌ  Ｃｏｄｉｎｇ」、Ｄｅｃ．２００８に完全に明示されており、ここで詳しく提示するように本出願に参照として含まれる。
【００４９】
階層マッピングがＤＦＴプレコーディング前に行われ、データ及び制御情報は適切に多重化及びインターリーブされる。送信プレコーディングはＤＦＴプレコーディングユニット６０１−１乃至６０１−ＮとＩＦＦＴユニット６０３の間で行われ、各サブキャリアを基準に、ＤＦＴプレコーディングユニット６０１−１乃至６０１−Ｎの出力でのＮディメンション（ｄｉｍｅｎｓｉｏｎ）の信号はＩＦＦＴユニット６０３−１乃至６０３−Ｎの入力としてのＮｔディメンションＩ信号に変換される。ＩＦＦＴユニット６０３−１乃至６０３−Ｎの入力でのサブキャリアマッピングはサブキャリアの非隣接セグメント（ｎｏｎ−ｃｏｎｔｉｇｕｏｕｓ  ｓｅｇｍｅｎｔｓ）を含むことができる。
【００５０】
本発明の実施形態で、全てのアップリンク制御情報（ＣＱＩ、ＲＩ及びＡ／Ｎビット）はアップリンク制御情報を伝達するために特定階層を選択する以下の方式に従って階層のうち１つのみで行われる。伝送階層の全体数はＮで表示される。
【００５１】
もし、Ｎ階層によって使用された変調及び符号化方式（ｍｏｄｕｌａｔｉｏｎ  ａｎｄ  ｃｏｄｉｎｇ  ｓｃｈｅｍｅ：ＭＣＳ）が互いに異なる場合、最大ＭＣＳ値を有する階層がＣＱＩ、ＲＩ及びＡ／Ｎのようなアップリンク制御情報を伝達するために選択される。ＭＣＳ値はＵＬスケジュール割り当て許可（ｓｃｈｅｄｕｌｅ  ａｓｓｉｇｎｍｅｎｔ  ｇｒａｎｔ）（ｅＮｏｄｅＢからＵＥに送信された）を介して典型的に伝達され、したがって、データ及び制御伝送時間にＵＥでは知ることができる。制御領域サイズはリソース要素の数で定義される。
【００５２】
もし、Ｎ階層によって使用されたＭＣＳが同じ場合、第１階層がＣＱＩ、ＲＩ及びＡ／Ｎのようなアップリンク制御情報を伝達するために選択される。この実施形態が階層混合（ｌａｙｅｒ  ｍｉｘｉｎｇ）／階層置換（ｌａｙｅｒ  ｐｅｒｍｕｔａｔｉｏｎ）のような技法が同じチャネル品質とそれに応じて全ての階層で同じＭＣＳ値を保証するために使用される状況に適切であり得る。
【００５３】
また、階層の選択はＤＣＩフォーマット０又はいくつかの他のアップリンク許可ＤＣＩフォーマットを使用して、追加的な制御フィールドとしてのアップリンクスケジューリング許可を介して明示的に信号伝送されることができる。
【００５４】
さらに、３個の制御領域（ＣＱＩ、ＲＩ、Ａ／Ｎ）のサイズは対応するＵＣＩアップリンク制御情報（ＵＣＩ）サイズと、前記制御領域が送信される階層に関連したＭＣＳ値、そして上位階層シグナリングされたオフセット（ｈｉｇｈｅｒ  ｌａｙｅｒ  ｓｉｇｎａｌｅｄ  ｏｆｆｓｅｔ）の関数として決定される。制御領域サイズの正確な計算は３ＧＰＰ  ＬＴＥ標準３ＧＰＰ  ＴＳ  ３６．２１２  ｖ  ８．５．０．「Ｅ−ＵＴＲＡ，Ｍｕｌｔｉｐｌｅｘｉｎｇ  ａｎｄ  Ｃｈａｎｎｅｌ  Ｃｏｄｉｎｇ」，Ｄｅｃ．２００８に既に明示されているものと類似であるが、これはここで詳しく提示するように本出願に参照として含まれる。
【００５５】
例えば、もし単一のＣＷ解決策が階層置換／混合を有するＵＬ  ＭＩＭＯで使用される場合、全ての階層を同じＭＣＳを備え、次に３ＧＰＰ  ＬＴＥ標準３ＧＰＰ  ＴＳ  ３６．２１２  ｖ  ８．５．０，「Ｅ−ＵＴＲＡ，Ｍｕｌｔｉｐｌｅｘｉｎｇ  ａｎｄ  Ｃｈａｎｎｅｌ  Ｃｏｄｉｎｇ」，Ｄｅｃ．２００８のｓｅｃｔｉｏｎ  ５．２．２．６でのＨＡＲＱ及びＲＩビットに対する制御領域の式は下記の式１に示すように修正され得る。
【００５６】
【数１】
0005838197.tif 000012
【００５７】
分子で複数の階層を定義するファクタ「Ｎ」が含まれることに留意するべきである。分母で合計は全ての階層で全ての符号ブロック（ｃｏｄｅ  ｂｌｏｃｋｓ：ＣＢｓ）を完了させるであろう（ｗｉｌｌ  ｂｅ  ｏｖｅｒ）。Ｃ（ｎ）は階層ｎでＣＢの数を定義し、
0005838197.tif 000013
は階層ｎでｒ番目のＣＢのサイズを定義する。同様にＣＱＩビットに対する制御領域の式が下記の式２に示されている。
【００５８】
【数２】
0005838197.tif 000014
【００５９】
他の実施形態で、もし階層でＭＣＳが互いに異なりｐ番目の階層がＵＣＩが伝送される階層に選択される場合、上記式１及び２はそれぞれ下記の式３及び４のように修正され得る。
【００６０】
【数３】
0005838197.tif 000015
【００６１】
ＲＩ及びＡ／Ｎビットに対して、そして、
【００６２】
【数４】
0005838197.tif 000016
【００６３】
ＣＱＩビットに対して。
本発明のいくつかの実施形態で、アップリンク制御情報はアップリンク上で送信されるＭＩＭＯアップリンクサブフレームでのＮ個階層のサブセットにマッピング／割り当てられる。サブセットのサイズＮｓは全体階層の数より小さいか同じ場合があるが、全体階層の数はＮによって定義される。
【００６４】
もし、サブセットサイズＮｓがＮより小さい場合、すなわちＮｓ＜Ｎであれば、アップリンク制御伝送のために使用された階層は次のような方法のうち１つによって基地局で知ることができる。
【００６５】
例えば、アップリンク制御情報のために使用された階層のサブセットはＤＣＩフォーマット０又はいくつかの他のアップリンク許可ＤＣＩフォーマットを使用する追加的な制御フィールドとしてアップリンクスケジューリングを介して明示的に信号伝送されることができる。
【００６６】
他の例として、階層のサブセットは（１）コードワードの数；（２）階層マッピング構造に対するコードワード；及び（３）最大ＭＣＳ値を使用するコードワードに応じてＵＥによって暗黙的に導出され得る。例えば、もしＮ=４で階層１、２がコードワード１の伝送に使用される一方、階層３、４がコードワード２の伝送に使用され、そして、コードワード１によって使用されたＭＣＳがコードワード２によって使用されたＭＣＳより良好であれば、ＵＥはさらに良好なＭＣＳを有する階層に該当する階層１＆２上でＵＬ制御情報を送信することに決定できる。
【００６７】
特定の実施形態で、アップリンク制御領域の決定は次のような規則のうち１つに従う。制御情報を含む階層のサブセットはアクティブ階層として定義されるということに留意するべきである。
【００６８】
ケース１。もしＵＬ制御伝送のために使用されたアクティブ階層が同じＭＣＳを持つ場合、アクティブ階層を通過する各制御領域（ＣＱＩ、ＲＩ、Ａ／Ｎ）の全体サイズは対応するＵＣＩサイズ及びこの単一のＭＣＳ値の関数として決定され、そして制御情報はアクティブ階層を介して均一に分配されるが、ここで各階層は全体制御領域サイズの略１／Ｎｓを有する。階層混合／階層置換のような技法が同じチャネル品質を保証し、それにより全ての階層で同じＭＣＳ値を持つように保証するために使用される状況で実施形態は適切でありえる。
【００６９】
ケース２。もしアクティブ階層がそれらの伝送において互いに異なるＭＣＳを持つ場合、２つの代案が適用される。
【００７０】
ケース２ａ。各アクティブ階層に対して、階層あたりの制御領域サイズはＵＣＩサイズ及び特定階層でのＭＣＳに応じて決定される。制御領域の全体サイズはアクティブ階層上の階層あたりの制御領域サイズの合計である。制御情報は階層あたりの制御領域サイズに応じてアクティブ階層に分配される。
【００７１】
ケース２ａの場合、全般的な制御領域サイズを決定する１つの例は下記の式５及び６にそれぞれ示したように式１及び２を修正することによって与えられることができる。
【００７２】
【数５】
0005838197.tif 000017
【００７３】
Ｎ=１、…Ｎｓである場合、
ここで、
0005838197.tif 000018
はｎ番目のアクティブ階層でＲＩ及びＡ／Ｎシンボルの数である。
【００７４】
【数６】
0005838197.tif 000019
【００７５】
ここで、
0005838197.tif 000020
はｎ番目のアクティブ階層でＣＱＩシンボルの数で、
0005838197.tif 000021
はこのアクティブ階層に割り当てられたＲＩシンボルの数である。
【００７６】
ケース２ｂ。全体制御領域のサイズは全てのアクティブ階層上のＵＣＩサイズ及びＭＣＳの関数として共に決定され、制御情報は全てのアクティブ階層を介して均一に分配されるが、ここで各階層は全体制御領域サイズの略１／Ｎｓを有する。
【００７７】
ケース１及びケース２ｂの場合、全般的な制御領域サイズを決定する１つの例は下記の式７及び８にそれぞれ示したように式１及び２を修正することによって与えられることができる。
【００７８】
【数７】
0005838197.tif 000022
【００７９】
ＲＩ及びＡ／Ｎビットに対して。分母の最初の合算は全てのアクティブ階層上で合算される。
【００８０】
【数８】
0005838197.tif 000023
【００８１】
ＣＱＩビットに対して。
さらに、ＵＣＩシンボルは全てのアクティブ階層を介して均一に分配されるものとして保証され得る。
0005838197.tif 000024
で、全体ＵＣＩシンボルの数として
0005838197.tif 000025
を使用すると仮定しよう。全ての
0005838197.tif 000026
ヌルフィルシンボル（ｎｕｌｌ  ｆｉｌｌｅｒ  ｓｙｍｂｏｌｓ）が伝送率整合の正確度を保証するために追加される。
【００８２】
本発明はＭＩＭＯ方式がアップリンク通信で使われる時のデータと、ＣＱＩ（チャネル品質情報）、ＲＩ（ランク情報）、Ａ／Ｎ（Ａｃｋ／Ｎａｃｋ情報）のような制御情報と、を同時に送信するためのシステム及び方法を記述する。本発明のシステム及び方法は、ＬＴＥアドバンストのようなシステムでキャリアアグリゲーション（ｃａｒｒｉｅｒ  ａｇｇｒｅｇａｔｉｏｎ）の場合、シングルコンポーネントキャリア又はマルチコンポーネントキャリアのために生成されたアップリンク制御情報に適用されることもできる。本発明で、アップリンク制御情報は３つの類型が一般にＵＣＩとして定義される。
【００８３】
本発明の実施形態で、アップリンク制御情報又はＵＣＩはアップリンク上で送信されるＭＩＭＯアップリンクサブフレームでのＮ階層のサブセット上にマッピング又は割り当てられる。この階層のサブセットは（１）コードワード（ＣＷｓ）の数；（２）階層マッピング構造に対するコードワード；及び（３）最大変調及び符号化方式（ＭＣＳ）値を使用するコードワードに応じてＵＥにより暗黙的に導出され得る。例えば、もしＮ＝４で階層１、２がコードワード１の伝送に使用される一方で、階層３、４がコードワード２の伝送に使用され、さらにコードワード１によって使用されたＭＣＳがコードワード２によって使用されたＭＣＳより良好な場合、ＵＥはさらに良好なＭＣＳを有する階層に該当する階層１及び２上でＵＣＩを送信することに決定する。
【００８４】
したがって、１つのＣＷ伝送の場合、ＵＣＩはそのＣＷの階層にマッピングされる。ＵＬ許可によって指示された互いに異なるＭＣＳ値をもって２つのＣＷを伝送する場合、ＵＣＩは最大のＭＣＳ値を有するＣＷの階層にマッピングされる。
【００８５】
さらに他の実施形態で、同じＭＣＳ値を有する２つのコードワードの場合、次のようなアプローチが提案される。
【００８６】
−第１のアプローチで、ＵＥは常にＵＣＩをＣＷ０（コードワード０又は第１コードワード）の階層にマッピングする。ＣＷ０は階層マッピングテーブル及び伝送ランクに対するＣＷに応じて階層０又は階層０にマッピングされる。
【００８７】
−第２のアプローチで、ＵＥは常にＵＣＩをＣＷ１（コードワード１又は第２コードワード）の階層にマッピングする。
【００８８】
―第３のアプローチで、ＵＥはランク３（３階層）伝送の場合、ＵＣＩをＣＷ１の階層にマッピングし、他のランク伝送の場合、ＵＣＩをＣＷ０の階層にマッピングする。ランク３に対して特別な処理を行う理由はランク３で、ＣＷ０は階層０にマッピングされ、ＣＷ１は階層１及び２にマッピングされるからである。ＵＣＩ伝送により多いリソースを提供するため、ＵＣＩを２階層伝送を有するＣＷの階層にマッピングすることが好ましい場合もある。
【００８９】
本発明のいくつかの実施形態で、ＵＣＩのいくつかの類型はアップリンクで送信されるＭＩＭＯアップリンクサブフレームでのＮ階層のサブセットにマッピングされる一方、他の類型のＵＣＩは全てのＮ階層にマッピングされる。
【００９０】
ｅＮｏｄｅＢでより信頼性のある受信を必要とするＵＣＩの類型は全てのＮ階層にマッピングされる。
【００９１】
任意類型のＵＣＩを運搬するＮ階層のサブセットのいくつかの例は次のとおりである：
−ＣＷ０で全ての階層；
−ＣＷ１で全ての階層；
−より大きいＭＣＳを有するＣＷで全ての階層；
−より大きいＭＣＳを有するＣＷで最も小さい番号を有する階層；
【００９２】
図７は、本発明の実施形態に応じてアップリンク制御情報を２つのコードワードの複数の階層にマッピング７００する様子を示す図である。
【００９３】
いくつかの実施形態で、肯定／否定情報及びランク指示（ＲＩ）情報は２つのコードワードに対応する全てのＮ階層にマッピングされる一方、チャネル品質情報はコードワードのうち１つに対応するＮ階層のサブセットのみにマッピングされる。例えば、図７に示すように、階層１及び２は第１コードワードに対応し、階層３及び４は第２コードワードに対応する。ＣＱＩは第１コードワードに対応する階層１及び２にマッピングされる一方、ＡＣＫ／ＮＡＣＫ情報及びＲＩ情報は４階層アップリンク伝送で２つのコードワードに対応する全ての４階層にマッピングされる。特定の実施形態で、ＣＱＩはより大きいＭＣＳを有するＣＷで最も小さい数字を有する階層にマッピングされる。
【００９４】
他の実施形態で、ＲＩはコードワードの全てのＮ階層にマッピングされる一方、ＡＣＫ／ＮＡＣＫ及びＣＱＩはコードワードのＮ階層のサブセットにマッピングされる。
【００９５】
さらに他の実施形態で、ＡＣＫ／ＮＡＣＫはコードワードの全てのＮ階層にマッピングされる一方、ＲＩ及びＣＱＩはコードワードのＮ階層のサブセットにマッピングされる。
【００９６】
図８は、本発明の実施形態による基地局の動作方法８００を示す図である。
【００９７】
図８に示すように、方法８００は第１コードワードの伝送のための第１変調及び符号化方式値と第２コードワードの伝送のための第２ＭＣＳ値を指示するアップリンク許可を加入者端末に送信する過程（ブロック８０１）を含む。また、方法８００は多入力多出力アップリンクサブフレームを加入者端末から受信する過程（ブロック８０３）を含む。前記ＭＩＭＯアップリンクサブフレームは第１コードワードの伝送のために用いられた第１階層のサブセットと前記第２コードワードの伝送のために使用された第２階層のサブセットを具備する。肯定／否定情報とランク指示情報は前記第１階層のサブセット及び前記第２階層のサブセットにマッピングされる。チャネル品質情報は前記第１階層のサブセット又は前記第２階層のサブセットのみにマッピングされる。いくつかの実施形態で、前記第１ＭＣＳ値が前記第２ＭＣＳ値と互いに異なる場合、前記ＣＱＩはより大きいＭＣＳ値を有する前記階層のサブセットにマッピングされる。他の実施形態で、前記第１ＭＣＳ値が前記第２ＭＣＳ値と同じ場合、前記ＣＱＩは前記第１コードワードの伝送のために使用された前記第１階層のサブセットにマッピングされる。
【００９８】
図９は、本発明の実施形態による加入者端末の動作方法９００を示す図である。
【００９９】
図９に示すように、方法９００は第１コードワードの伝送のための第１変調及び符号化方式値と第２コードワードの伝送のための第２ＭＣＳ値を指示するアップリンク許可を基地局から受信する過程（ブロック９０１）を含む。また、方法９００は前記第１コードワードの伝送のために使用された第１階層のサブセットと前記第２コードワードの伝送のために使用された第２階層のサブセットを具備する多入力多出力アップリンクサブフレームを生成する過程（ブロック９０３）を含む。また、方法９００は肯定／否定情報とランク指示情報を前記第１階層のサブセット及び前記第２階層のサブセットにマッピングする過程（ブロック９０５）と、チャネル品質情報を前記第１階層のサブセット又は前記第２階層のサブセットのみにマッピングする過程（ブロック９０７）と、を含む。また、方法９００は前記ＭＩＭＯアップリンクサブフレームを前記基地局に送信する過程（ブロック９０９）を含む。いくつかの実施形態で、前記第１ＭＣＳ値が前記第２ＭＣＳ値と互いに異なる場合、前記ＣＱＩはより大きいＭＣＳ値を有する前記階層のサブセットにマッピングされる。他の実施形態で、前記第１ＭＣＳ値が前記第２ＭＣＳ値と同じ場合、前記ＣＱＩは前記第１コードワードの伝送のために使用された前記第１階層のサブセットにマッピングされる。
【０１００】
本発明は好ましい実施形態について述べられたが、様々な変更及び修正が当該分野の熟練者に提案されることもできる。本発明は添付される特許請求の範囲内でのそのような変更及び修正を含むことを意図する。
【符号の説明】
【０１０１】
１００  無線ネットワーク
１０１、１０２、１０３  基地局
１１１、１１２、１１３、１１４、１１５、１１６  加入者端末
１２０、１２５  カバレッジ領域
１３０  インターネット
【図１】
0005838197.tif 000027
【図２】
0005838197.tif 000028
【図３】
0005838197.tif 000029
【図４】
0005838197.tif 000030
【図５】
0005838197.tif 000031
【図６】
0005838197.tif 000032
【図７】
0005838197.tif 000033
【図８】
0005838197.tif 000034
【図９】
0005838197.tif 000035